(57)【要約】【課題】  剥離シートを一体とするマグネットシートの所望の形態への切断が容易にできるようにする。【解決手段】  片面に粘着剤４を付設したマグネットシート本体２と、その粘着剤４の露出面に貼り付けられる剥離シート３とからなるマグネットシートにおいて、剥離シート３が透明もしくは半透明で、かつ、マグネットシート本体２への貼り付け面５側にマグネットシート本体２を所定の形態に切断する際の案内ガイド表示７がなされてなるものとした。なお、粘着剤４及び剥離シート３を透明もしくは半透明とし、マグネットシート本体２の片面にマグネットシート本体を所定の形態に切断する際の案内ガイド表示７をするようにしてもよい。【選択図】  図３
2013227443.tif 000002
【特許請求の範囲】
【請求項１】
片面に粘着剤を付設したマグネットシート本体と、該粘着剤の露出面に貼り付けられる剥離シートとからなるマグネットシートにおいて、
前記剥離シートが透明もしくは半透明で、かつ、前記マグネットシート本体への貼り付け面側に前記マグネットシート本体を所定の形態に切断する際の案内ガイド表示がなされてなることを特徴とするマグネットシート。
【請求項２】
片面に粘着剤を付設したマグネットシート本体と、該粘着剤の露出面に貼り付けられる剥離シートとからなるマグネットシートにおいて、
前記粘着剤及び剥離シートが透明もしくは半透明で、かつ、前記マグネットシート本体の片面に前記マグネットシート本体を所定の形態に切断する際の案内ガイド表示がなされてなることを特徴とするマグネットシート。
【発明の詳細な説明】
【技術分野】
【０００１】
この発明は、マグネットシートを所望の形態に切断するための構成に関する。
【背景技術】
【０００２】
従来、マグネットシートとして、紙、木、プラスチックス等の非磁性体に取り付けが可能なように片面を粘着面としたものがあり、このものは通常その粘着面に剥離シートが貼られて提供されている（特許文献１）。このようなマグネットシートはその使用状況に対応してその形状が所望となるように切断されて使用される。この切断作業は寸法を測り切断線を引いて行うので非常に手間がかかる問題があった。
【先行技術文献】
【特許文献】
【０００３】
【特許文献１】特開平７−３１００６２
【発明の概要】
【発明が解決しようとする課題】
【０００４】
この発明は、剥離シートを一体とするマグネットシートの所望の形態への切断が容易にできるようにすることを課題とする。
【課題を解決するための手段】
【０００５】
第１の発明（請求項１の発明）では、片面に粘着剤を付設したマグネットシート本体と、その粘着剤の露出面に貼り付けられる剥離シートとからなるマグネットシートにおいて、剥離シートが透明もしくは半透明で、かつ、マグネットシート本体への貼り付け面側にマグネットシート本体を所定の形態に切断する際の案内ガイド表示がなされてなることを特徴とするマグネットシートとした。
【０００６】
上記構成によれば、剥離シートのマグネットシート本体への貼り付け面側の案内ガイド表示は、剥離シートが透明もしくは半透明であることでマグネットシート本体に貼られた剥離シート上から目視でき、これによりその案内ガイド表示を目安としてマグネットシートを所望の形態に切断することができる。
【０００７】
第２の発明（請求項２の発明）では、片面に粘着剤を付設したマグネットシート本体と、その粘着剤の露出面に貼り付けられる剥離シートとからなるマグネットシートにおいて、粘着剤及び剥離シートが透明もしくは半透明で、かつ、前記マグネットシート本体の片面に前記マグネットシート本体を所定の形態に切断する際の案内ガイド表示がなされてなることを特徴とするマグネットシートとした。
【０００８】
上記構成によれば、マグネットシートの片面になされた案内ガイド表示は、粘着剤及び剥離シートが透明もしくは半透明であることで、マグネットシート本体に貼られた剥離シート上から目視でき、これによりその案内ガイド表示を目安としてマグネットシートを所望の形態に切断することができる。
【０００９】
第１、第２の発明において、剥離シートとしては各種の透明もしくは半透明プラスチックシートが用いられる。案内ガイド表示は切断のための案内となるものであれば線、点、模様等適宜の形態であってよい。
【発明の効果】
【００１０】
この発明のそれぞれによれば、剥離シートを一体とするマグネットシートの所望の形態への切断が容易にできるようになる。
【図面の簡単な説明】
【００１１】
【図１】第１の発明のマグネットシートの実施形態の剥離シート側斜視図
【図２】第１の発明のマグネットシートの実施形態の部分断面図
【図３】第１の発明のマグネットシートの実施形態の制作説明図
【図４】第２の発明のマグネットシートの実施形態の制作説明図
【発明を実施するための形態】
【００１２】
図１は第１の発明のマグネットシートの実施形態の剥離シート側斜視図、図２は同部分断面図、図３はマグネットシートの裏面側から見た同制作説明図である。マグネットシート１は、マグネット材料粉を含有する合成ゴムシートの磁着品よりなるマグネットシート本体２と、マグネットシート本体２の片面に貼り付けられる透明もしくは半透明プラスチックシートよりなる剥離シート３とからなる。マグネットシート本体１の片面は粘着剤４が付設されたことで粘着面とされ、その粘着面に貼り付けられて剥離シート３が一体に付設される。
なお、図３に示すように、剥離シート３のマグネットシート本体２への貼り付け面５側にはその全面にわたってマス目上に切断案内線（切断する際の案内ガイド表示）７が印刷形成されており、この状態から矢印に示すように剥離シート３をマグネットシート２に粘着剤４を介して貼着すればマグネットシート１が完成する。
また、この完成状態を裏返すと、図１に示すように剥離シート側から見た斜視図の状態となる。
【００１３】
そして、この図１に示すように、上記の切断案内線７は剥離シート３が透明もしくは半透明であることにより、剥離シート３上から目視でき、これによりその切断案内線７を目安としてマグネットシート１を所望の形態に切断することができ、その切断後に剥離シート３が剥がされて所望の形態のマグネッシート片が得られる。
【００１４】
図４は第２の発明のマグネットシートの実施形態の制作説明図である。なお、この実施形態の剥離シート側斜視図、部分断面図は第１の発明と同様となるのでそれらの図示を省略する。
マグネットシート１は、マグネット材料粉を含有する合成ゴムシートの磁着品よりなるマグネットシート本体２と、マグネットシート本体２の片面８に貼り付けられる透明もしくは半透明プラスチックシートよりなる剥離シート３とからなる。
そして、マグネットシート本体２の片面８は透明もしくは半透明の粘着剤４が付設された粘着面となっており、その粘着面に剥離シート３が一体的に貼り付けられる。
なお、マグネットシート本体２の片面８側には、その全面にわたってマス目上に切断案内線７が印刷形成されている。
【００１５】
従って、図１に示すように、上記の切断案内線７は、粘着剤４及び剥離シート３が透明もしくは半透明であることで、剥離シート３上から目視でき、これによりその切断案内線７を目安としてマグネットシート１を所望の形態に切断することができ、その切断後に剥離シート３が剥がされて所望の形態のマグネッシート片が得られる。
【符号の説明】
【００１６】
１    マグネットシート
２    マグネットシート本体
３    剥離シート
５    貼り付け面
７    切断案内線（案内ガイド表示）
【図１】
2013227443.tif 000003
【図２】
2013227443.tif 000004
【図３】
2013227443.tif 000005
【図４】
2013227443.tif 000006
【手続補正書】
【提出日】平成24年5月8日(2012.5.8)
【手続補正１】
【補正対象書類名】図面
【補正対象項目名】図３
【補正方法】変更
【補正の内容】
【図３】
2013227443.tif 000007